(57)【要約】      （修正有）【課題】装飾層に関する構造を改良することによって、装飾層がタッチセンシングユニットに配置される時の位置精度を高めることができるタッチパネルを提供する。【解決手段】タッチセンシングユニット５２とカバーレンズ５１とを含むタッチパネル５０である。タッチセンシングユニット５２は、導電層５２５を有し、導電層５２５は、導電表面５２１と、導電表面５２１に形成されている装飾層５３とを有する。装飾層５３がカバーレンズ５１と導電層５２５との間に設けられるように、カバーレンズ５１は、タッチセンシングユニット５２に設けられる。【選択図】図５Ｂ
0003194943.tif 000002
【実用新案登録請求の範囲】
【請求項１】
カバーレンズと、
タッチセンシングユニットと、
前記カバーレンズと前記タッチセンシングユニットとを仕切る第一装飾層と、を含み、
前記第一装飾層と前記タッチセンシングユニットとの間に、単位面積当たりの第一付着力を有し、前記第一装飾層と前記カバーレンズとの間に、単位面積当たりの第二付着力を有し、かつ前記第一付着力は前記第二付着力より大きいことを特徴とするタッチパネル。
【請求項２】
前記カバーレンズは、ユーザーインターフェイス表面と、前記ユーザーインターフェイス表面に対向する第一表面とを含み、
前記タッチセンシングユニットは、前記第一表面に対向する導電表面とを含み、
前記第一装飾層は、前記導電表面に付着する第二の表面と、前記第二の表面に対向する第三の表面とを含み、前記第二の表面と前記導電表面との間に前記第一付着力を有し、かつ前記第三表面と前記第一表面との間に前記第二付着力を有し、
前記第一装飾層は前記導電表面にプリントされ、第一の予定パターンを有し、前記第一の予定パターンは、フレームパターン、ロゴパターン、アイコンパターン及び機能性パターンの中の少なくとも一つを含むことを特徴とする請求項１に記載のタッチパネル。
【請求項３】
前記タッチセンシングユニットは、薄膜センサーであり、
前記導電表面は、透明表面を含み、
前記第一装飾層は、前記カバーレンズと前記透明表面とを仕切っていることを特徴とする請求項２に記載のタッチパネル。
【請求項４】
前記タッチパネルは、第二装飾層を更に含み、
前記第二装飾層は、前記第一表面にプリントされ、かつ第二の予定パターンを有し、前記第二の予定パターンは、フレームパターン、ロゴパターンと、アイコンパターン及び機能性パターンの中の少なくとも一つを含み、
前記第一装飾層は、前記第二装飾層との間に配置関係を有し、
前記配置関係は、第一の関係または第二の関係であり、
前記第一の関係は、前記第二装飾層が前記第一装飾層に設けられ、
前記第二の関係は、前記第一装飾層と前記第二装飾層が、前記導電表面及び前記第一の表面との間に横方向に重なっていることを特徴とする請求項２に記載のタッチパネル。
【請求項５】
付着表面と、前記付着表面に形成された第一装飾層と、を有する導電層を有するタッチセンシングユニットと、
カバーレンズであって、前記第一装飾層が前記カバーレンズ及び前記導電層との間に設けられるように前記タッチセンシングユニットに設置される前記カバーレンズと、を含むことを特徴とするタッチパネル。
【請求項６】
前記導電層は、透明表面を含み、
前記第一の装飾層は、前記カバーレンズと前記透明表面とを仕切り、
前記第一の装飾層は、前記導電層との間に、単位面積当たりの第一付着力を有し、前記第一装飾層は、前記カバーレンズとの間に単位面積当たりの第二付着力を有し、かつ前記第一付着力は、前記第二付着力より大きく、
前記カバーレンズは、ユーザーインターフェイス表面と、前記ユーザーインターフェイス表面に対向する第一表面と、を含み、
前記タッチセンシングユニットは薄膜センサーであり、前記付着表面は前記第一表面に対向し、
前記第一装飾層は、前記付着表面にプリントされ、第一の予定パターンを有し、前記第一の予定パターンは、フレームパターン、ロゴパターン、アイコンパターン及び機能性パターンの中の少なくとも一つを含むことを特徴とする請求項５に記載のタッチパネル。
【請求項７】
前記タッチパネルは、第二装飾層を更に含み、
前記第二装飾層は、前記第一の表面にプリントされ、且つ第二の予定パターンを有し、
前記第二の予定パターンはフレームパターン、ロゴパターン、アイコンパターン及び機能性パターンの中の少なくとも一つを含み、
前記第一の装飾層と前記第二の装飾層との間に、配置関係を有し、
前記配置関係は、第一の関係又は第二の関係であり、
前記第一の関係は、前記第二の装飾層が前記第一の装飾層に設けられ、
前記第二の関係は、前記第一の装飾層と前記第二の装飾層が、前記付着表面及び前記第一の表面との間に横方向に重なっていることを特徴とする請求項６に記載のタッチパネル。
【考案の詳細な説明】
【技術分野】
【０００１】
関連出願と優先権主張の相互参照
本出願は、台湾経済部智慧財産局での２０１３年１０月２３日に出願された実用新案出願第１０２２１９７７２号に基づく利益を主張し、当該実用新案出願の開示は、参照によって本明細書に組み込まれる。
【０００２】
本考案は、タッチパネル及びその製造方法に関連し、特には装飾層を有するタッチパネル及びその製造方法に関する。
【背景技術】
【０００３】
図１は、従来技術のタッチパネル１０を示す図である。タッチパネル１０は、薄膜層１３と、薄膜層１３に設けられた薄膜層１２と、薄膜層１２に設けられたカバーレンズ（cover lens）１１とを含む。カバーレンズ１１は、ユーザーインターフェイス表面１１１を含み、薄膜層１２と１３を保護することに用いられる。図１に示すように、タッチパネル１０は、通常二枚または二枚以上の機能層（タッチセンサーを含む）を有している。タッチパネル１０のユーザー側は、カバーレンズ１１を用いて最も外側の保護層とする。
【０００４】
図２は、従来技術のタッチパネル２０を示す図である。タッチパネル２０は、薄膜層２２と、薄膜層２２に設けられたカバーレンズ２１とを含む。カバーレンズ２１は、ユーザーインターフェイス表面２１１を含み、薄膜層２１を保護することに用いられる。図３は、従来技術のタッチパネル３０を示す図である。タッチパネル３０は、ガラス層３２と、ガラス層３２に設けられたカバーレンズ３１とを含む。カバーレンズ３１は、ユーザーインターフェイス表面３１１を含み、ガラス層１２の保護に用いられる。
【０００５】
図４は、従来技術のタッチパネル４０を示す図である。タッチパネル４０は、タッチセンサー４２と、タッチセンサー４２に設けられたカバーレンズ構造４１とを含む。カバーレンズ構造４１は、カバーレンズ４５と、カバーレンズ４５にプリントされた装飾層４６とを含む。カバーレンズ４５は、ユーザーインターフェイス表面４５１を含む。装飾層４６は、予定パターンを有し、前記予定パターンは、ブラックマトリクス（即ちフレーム）パターン、ロゴパターンと、アイコンパターンの中の少なくとも一つを含む。スクリーン印刷によってパターン化したインクをカバーレンズ４５に置き、前記パターン化したインクを乾燥させ、装飾層４２を形成する。
【０００６】
タッチパネル１０、２０、３０と４０は、さらに進んだ変化や効果を有することができると考えられる。
【考案の概要】
【考案が解決しようとする課題】
【０００７】
本考案の目的は、装飾層に関する構造を改良することによって装飾層がタッチセンシングユニットに配置される時の位置精度を高めることである。
【課題を解決するための手段】
【０００８】
本考案の実施例は、タッチパネルを提供し、前記タッチパネルは、カバーレンズと、タッチセンシングユニットと、装飾層とを含む。前記装飾層は、前記カバーレンズと前記タッチセンシングユニットとを仕切り、前記装飾層と前記タッチセンシングユニットとの間に、単位面積当たりの第一付着力を有し、前記第一装飾層と前記カバーレンズとの間に、単位面積当たりの第二付着力を有し、かつ前記第一付着力は前記第二付着力より大きい。
【０００９】
本考案のもう一つ実施例は、タッチパネルを提供することである。前記タッチパネルは、タッチセンシングユニットとカバーレンズとを含む。前記タッチセンシングは導電層を有する。前記導電層は、付着表面と、前記付着表面に形成された装飾層と、を有する。前記カバーレンズは、前記装飾層が前記カバーレンズ及び前記導電層との間に設けられるように、前記タッチセンシングユニットに設置される。
【図面の簡単な説明】
【００１０】
本考案は、下記図面の詳しい説明によってよりよく理解することができる。
【図１】従来技術のタッチパネルを示す図である。
【図２】従来技術の別のタッチパネルを示す図である。
【図３】従来技術のまた別のタッチパネルを示す図である。
【図４】従来技術のさらに別のタッチパネルを示す図である。
【図５Ａ】本考案の多様な実施例に係るタッチパネルを示す組立図である。
【図５Ｂ】本考案の多様な実施例に係るタッチパネルを示す分解図である。
【図６Ａ】本考案の多様な実施例に係るタッチパネルを示す組立図
【図６Ｂ】本考案の多様な実施例に係る別のタッチパネルを示す分解図である。
【図７Ａ】本考案の多様な実施例に係るタッチパネルを示す組立図である。
【図７Ｂ】本考案の多様な実施例に係る別のタッチパネルを示す分解図である。
【図７Ｃ】図７Ａのタッチパネルの組み合わせ配置を示す模式図である。
【図８Ａ】本考案の多様な実施例に係るまた別のタッチパネルを示す組立図である。
【図８Ｂ】本考案の多様な実施例に係るまた別のタッチパネルを示す分解図である。
【図９Ａ】本考案の多様な実施例に係るさらに別のタッチパネルを示す組立図である。
【図９Ｂ】本考案の多様な実施例に係るさらに別のタッチパネルを示す分解図である。
【図９Ｃ】図９Ａのタッチパネルの組み合わせ配置を示す模式図である。
【考案を実施するための形態】
【００１１】
図５Ａと図５Ｂは、それぞれ本考案の多様な実施例に係るタッチパネル５０を示す組立図と分解図である。タッチパネル５０は、カバーレンズ５１、タッチセンシングユニット５２及び装飾層５３を含む。装飾層５３は、カバーレンズ５１とタッチセンシングユニット５２とを仕切る。装飾層５３とタッチセンシングユニット５２との間に、単位面積当たりの第一付着力を有し、第一装飾層５３とカバーレンズ５１との間に、単位面積当たりの第二付着力を有し、かつ前記第一付着力は前記第二付着力より大きくなるように設定されている。前記第一付着力又は前記第二付着力は、固体分子間におけるファンデルワールス力に起因する付着力である。
【００１２】
もう一つ実施例において、装飾層５３はカバーレンズ５１とタッチセンシングユニット５２との間に配置され、カバーレンズ５１及びタッチセンシングユニット５２にカップリングする。カバーレンズ５１は、ユーザーインターフェイス表面５１１と、ユーザーインターフェイス表面５１１に対向する表面５１２とを含む。タッチセンシングユニット５２は、表面５１２に対向する導電表面５２１を含む。装飾層５３は、導電表面５２１に付着する表面５３１と、表面５３１に対向する表面５３２とを含み、表面５３１と導電表面５２１との間に単位面積当たりの第一付着力を有し、かつ表面５３２と表面５１２との間に単位面積当たりの第二付着力を有し、装飾層５３は導電表面５２１にプリントされ、予定パターン５３５を有し、前記予定パターン５３５は、ブラックマトリクス(Black Matrix)パターン、ロゴ(logo)パターン、アイコン(Icon)パターン及び機能性パターンの中の少なくとも一つを含む。
【００１３】
もう一つ実施例において、装飾層は、非透明絶縁層である。カバーレンズ５１は、透明絶縁層であって、タッチセンシングユニット５２の保護に用いられ、かつ装飾層５３に付着している。もう一つ実施例においては、表面５３１と導電表面５２１との間に、正面の第一接触面を有し、かつ前記正面の第一接触面で第一の全付着力によって結合される。前記単位面積当たりの第一付着力は、前記全第一付着力を前記正面の第一接触面の面積で除した値である。表面５３２と表面５１２との間に、前記正面の第一接触面と対応する正面の第二接触面を有し、かつ前記正面の第二接触面で第二の全付着力によって結合される。前記単位面積当たりの第二付着力は、前記第二の全付着力を前記正面の第二接触面の面積で除した値である。例えば、前記単位面積当たりの第一付着力と前記単位面積当たりの第二付着力は、それぞれ単位面積当たりの第一の直接付着力と第二の直接付着力となる。例えば、前記正面の第二接触面の面積は、前記正面の第一接触面の面積と等しくてもよい。
【００１４】
もう一つ実施例において、タッチセンシングユニット５２は、薄膜センサーであって、導電層５２５を含む。例えば、導電層５２５は、導電表面５２１を含み、タッチセンシング用の導電回路層に用いられる。導電表面５２１は、透明導電表面５２１１を含む。装飾層５３は、カバーレンズ５１と透明導電表面５２１１とを仕切る。もう一つ実施例において、導電表面５２１は、透明導電表面５２１１と、透明導電表面５２１１にカップリングする不透明導電表面５２１２とを含む。例えば、装飾層５３は、カバーレンズ５１と不透明導電表面５２１２とを仕切る。例えば、導電層５２５は、透明導電部と、前記透明導電部とカップリングする非透明導電部とを有し、かつ前記透明導電部と前記非透明導電部は、それぞれ透明導電表面５２１１と非透明導電表面５２１２とを有してもよい。
【００１５】
図６Ａと図６Ｂは、それぞれ本考案の多様な実施例に係るタッチパネル５０１を示す組立図と分解図である。タッチパネル５０１の構造は、図５Ａと図５Ｂでのタッチパネル５０の構造と似ている。続いてタッチパネル５０１とタッチパネル５０の間の違いを説明する。図６Ａと図６Ｂにおいて、タッチパネル５０１は、カバーレンズ５１と、接着層５５と、タッチセンシングユニット５２と、装飾層５３とを含む。カバーレンズ５１は、さらに光学薄層５１３を含み、かつ光学薄層５１３は、表面５１２を有している。光学薄層５１３は、反射防止、眩光防止、静電防止の中の少なくとも一つに用いられる。もう一つ実施例において、接着層５５は、カバーレンズ５１と装飾層５３との間に配置され、かつカバーレンズ５１を装飾層５３に付着させるためのものである。例えば、接着層５５は、平坦層としてもよい。
【００１６】
図７Ａと図７Ｂは、それぞれ本考案の多様な実施例に係るタッチパネル５０２を示す組立図と分解図である。タッチパネル５０２の構造は、図５Aと図５Bでのタッチパネル５０の構造と似ている。続いてタッチパネル５０２とタッチパネル５０の間の違いを説明する。図７Ａと図７Ｂにおいて、タッチパネル５０２は、カバーレンズ５１と、タッチセンシングユニット５２と、装飾層５３と、装飾層５４とを含む。装飾層５３と装飾層５４とも、カバーレンズ５１及びタッチセンシングユニット５２との間に配置されている。装飾層５３は、タッチセンシングユニット５２の導電表面５２１にプリントされている。
【００１７】
もう一つ実施例において、装飾層５４は、カバーレンズ５１の表面５１２にプリントされ、かつ予定パターンを有している。予定パターンは、ブラックマトリクスパターン、ロゴパターン、アイコンパターン、機能性パターンの中の少なくとも一つを含む。一例として、前記機能性パターンは、赤外線機能パターン、光センサー機能パターンの中の少なくとも一つを有していてもよい。装飾層５３は、装飾層５４との間に配置関係を有し、前記配置関係は、第一の関係又は第二の関係であって、前記第一の関係は、装飾層５４が装飾層５３に設けられることであって、例えば、装飾層５３はカバーレンズ５１の表面５１２と対向する表面５３２を含み、装飾層５４はダッチセンシングユニット５２の導電表面５２１に対向する表面５４２を含む。また、図７Ａと図７Ｂに示すように、前記第一の関係において、装飾層５４の表面５４２は装飾層５３の表面５３２に配置されている。
【００１８】
図７Ｃは、図７Ａのタッチパネル５０２の組み合わせ配置５０２１を示す模式図である。図７Ｃに示すように、前記第二の関係は、装飾層５３と装飾層５４が、タッチセンシングユニット５２の導電表面５２１及びカバーレンズ５１の導電表面５１２との間に横方向に重なっていることである。例えば、前記第二の関係において、装飾層５３の表面５３２は、装飾層５４の表面５４２より高く、カバーレンズ５１の表面５１２と同じ高さである（または表面５１２より低い）。前記第二の関係において、装飾層５４の表面５４２は、タッチセンシングユニット５２の導電表面５２１と同じ高さであり（または導電表面５２１より高く）、装飾層５３の表面５３２より低い。例えば、装飾層５３の表面５３１とタッチセンシングユニット５２の導電表面５２１との間に前記単位面積当たりの第一付着力を有し、装飾層５３の表面５３２と装飾層５３の表面５４２との間に単位面積当たりの第三付着力を有し、前記単位面積当たりの第一付着力は前記単位面積当たりの第三付着力より大きい。前記第三付着力は、固体分子間におけるファンデルワールス力に起因する付着力である。例えばタッチパネル５０２はさらに接着層５６を含み、接着層５６はカバーレンズ５１と装飾層５３との間に配置され、カバーレンズ５１を装飾層５３に付着させる。例えば、接着層５６は平坦層であって、装飾層５３と装飾層５４との間に配置される。
【００１９】
もう一つ実施例において、装飾層５３と装飾層５４の組み合わせは、配置によるパターン構造を有している。例えば、前記パターン構造は予定パターン５３５と予定パターン５４５を含む。もう一つ実施例において、前記パターン構造は、複数種類のパターン（例えばブラックマトリクスパターン、ロゴパターン、アイコンパターン及び機能性パターン）を含む。前記複数種類のパターンが同時に現れる時、または一種類で重複して現れる時に、前記パターン構造の第一部分（例えば予定パターン５３５）をタッチセンシングユニット５２にプリントし、かつ前記パターン構造の第二部分（例えば予定パターン５４５）をカバーレンズ５１にプリントすることができる。
【００２０】
もう一つ実施例において、予定パターン５３５は、ロゴパターン５３５１と、アイコンパターン５３５２と、機能性パターン５３５３とを含む。例えば、スクリーン印刷工程によってロゴ用インク、アイコン用インク及び機能性インクを導電表面５２１に置き、前記ロゴインクと、前記アイコンインク及び前記機能性インクを乾燥させ、ロゴパターン５３５１、アイコンパターン５３５２、及び機能性パターン５３５３をそれぞれ形成する。予定パターン５４５は、ブラックマトリクスパターン５４５１を含む。例えば、スクリーン印刷工程によってブラックマトリクス用インクを表面５２１に置き、ブラックマトリクス用インクを乾燥させ、ブラックマトリクスパターン５４５１を形成する。
【００２１】
図５Ａ、図５Ｂ、図６Ａ、図６Ｂ、図７Ａ、図７Ｂから提供する多様な実施例では、タッチパネル５０２を製造する方法は、タッチセンシングユニット５２を提供する工程と、タッチセンシングユニット５２に装飾層５３を形成する工程と、カバーレンズ５１を装飾層５３に配置する工程と、を含んでいる。
【００２２】
もう一つ実施例において、カバーレンズ５１は、ユーザーインターフェイス表面５１１と、ユーザーインターフェイス表面５１１に対向する表面５１２を含む。前記方法は、表面５１２に装飾層５４をプリントする工程を更に含んでいる。カバーレンズ５１を設置するステップは、表面５１２をタッチセンシングユニット５２に対向させることによって、装飾層５４をタッチセンシングユニット５２と表面５１２との間に設置する工程を更に含んでいる。
【００２３】
もう一つ実施例において、装飾層５３は、タッチセンシングユニット５２にプリントされている。カバーレンズ５１及びタッチセンシングユニット５２は、装飾層５３に仕切られる。装飾層５３とタッチセンシングユニット５２との間に単位面積当たりの第一付着力を有する。装飾層５３とカバーレンズ５１との間に単位面積当たりの第二付着力を有する。前記第一付着力は、前記第二付着力より大きい。
【００２４】
図８Ａと図８Ｂは、それぞれ本考案の多様な実施例に係るタッチパネル６０を示す組立図と分解図である。タッチパネル６０は、タッチセンシングユニット６２と、タッチセンシングユニット６２にカップリングするカバーレンズ５１とを含む。タッチセンシングユニット６２は、導電層５２５を有し、導電層５２５は、付着表面５２５１と、付着表面５２５１に形成されている装飾層５３とを有している。装飾層５３がカバーレンズ５１と導電層５２５との間に設けられるように、カバーレンズ５１をタッチセンシングユニット６２に設ける。
【００２５】
もう一つ実施例において、タッチセンシングユニット６２は、タッチセンシングパーツ６２１と、タッチセンシングパーツ６２１に形成された装飾層５３とを含む。例えば、タッチセンシングパーツ６２１は、図５Ａと図５Ｂにおけるタッチセンシングユニット５２であって、かつ付着表面５２５１は、図５Ａと図５Ｂの中の導電表面５２１である。導電層５２５は、透明導電表面５２１１を含み、かつ装飾層５３は、カバーレンズ５１と透明導電表面５２１１とを仕切っている。装飾層５３は、カバーレンズ５１とタッチセンシングユニット６２の導電層５２５との間に配置され、カバーレンズ５１と導電層５２５にカップリングする。装飾層５３と導電層５２５との間に単位面積当たりの第一付着力を有し、装飾層５３とカバーレンズ５１との間に単位面積当たりの第二付着力を有し、かつ前記第一付着力は前記第二付着力より大きい。
【００２６】
もう一つ実施例において、カバーレンズ５１は、ユーザーインターフェイス表面５１１と、ユーザーインターフェイス表面５１１に対向する５１２とを含む。タッチセンシングユニット６２は、薄膜センサーであって、付着表面５２５１は、表面５１２に対向する。装飾層５３は、付着表面５２５１にプリントされ、予定パターン５３５を有し、前記予定パターン５３５は、ブラックマトリクスパターン、ロゴパターン、アイコンパターン、機能性パターンの中の少なくとも一つを含む。
【００２７】
図９Ａと図９Ｂは、それぞれ本考案多様な実施例に係るタッチパネル６０１を示す組立図と分解図である。タッチパネル６０１の構造は、図８Aと図８Bの中のタッチパネル６０の構造と似ている。続いてタッチパネル６０１とタッチパネル６０との違いを説明する。図９Aと図９Bにおいて、タッチパネル６０１は、カバーレンズ５１と、タッチセンシングユニット６２と、装飾層５４とを含む。装飾層５４は、カバーレンズ５１とタッチセンシングユニット６２との間に設けられている。
【００２８】
もう一つ実施例において、装飾層５４は、カバーレンズ５１の表面５１２にプリントされ、かつ予定パターン５４５とを有し、前記予定パターン５４５は、ブラックマトリクスパターン、ロゴパターン、アイコンパターン、機能性パターンの中の少なくとも一つを含む。装飾層５４とタッチセンシングユニット６２の装飾層５３との間に配置関係を有し、前記配置関係は、第一の関係または第二の関係であって、前記第一の関係は、装飾層５４が装飾層５３に設けられていることであって、例えば、装飾層５３はカバーレンズ５１の表面５１２に対向する表面５３２を含み、装飾層５４はタッチセンシングユニット６２の付着表面５２５１に対向する表面５４２を含む。また、図７Ａと図７Ｂに示すように、前記第一の関係において、装飾層５４の表面５４２は装飾層５３の表面５３２に配置される。
【００２９】
図９Ｃは、図９Ａのタッチパネルの組み合わせ配置６０１１を示す模式図である。図９Ｃに示すように、前記第二の関係は、装飾層５３と装飾層５４はタッチセンシングユニット６２の付着表面５２５１とカバーレンズ５１の表面５１２との間に横方向に重なっていることである。例えば、前記第二関係において、装飾層５３の表面５３２は、装飾層５４の表面５４２より高く、カバーレンズ５１の表面５１２と同じ高さである（または表面５１２より低い）。前記第二の関係において、装飾層５４の表面５４２は、タッチセンシングユニット６２の付着表面５２５１と同じ高さであり（または付着表面５２５１より高く）、装飾層５３の表面５３２より低い。例えば、装飾層５３の表面５３１はタッチセンシングユニット６２の付着表面５２１との間に、単位面積当たりの第一付着力を有し、装飾層５３の表面５３２と装飾層５４の表面５４２との間に単位面積当たりの第三付着力を有し、前記単位面積当たりの第一付着力は前記単位面積当たりの第三付着力より大きい。前記第三付着力は、固体分子間におけるファンデルワールス力に起因する付着力である。例えば、タッチパネル６０１はさらに接着層５６を含み、接着層５６はカバーレンズ５１と装飾層５３との間に配置され、カバーレンズ５１を装飾層５３に付着させる。例えば、接着層５６は平坦層であって、装飾層５３と装飾層５４との間に配置される。例えば、装飾層５４は接着層５６によって装飾層５３に付着している。
【００３０】
本考案のタッチパネル５０、５０１、５０２、６０及び６０１は下記特徴を有する。装飾層５３は、直接にタッチセンシングユニット５２にプリントされているため、装飾層５３がタッチセンシングユニット５２に配置される時の位置精度を高めることができ、良品率を上げ、外観コーディネート性を上げ、製造コストを下げ、工程効率を上げることができる。
【００３１】
本考案の多数の変形例及び他の実施例を提供することによって、当業者が上記説明と関連図示の開示の長所を理解することに役立っている。そのため、出願人は本考案は上記開示している実施例に限定されず、かつその変形例と他の実施例の考案も下記請求範囲の範囲内に属することが理解し得るのである。
【符号の説明】
【００３２】
１０、２０、３０、４０、５０、５０１、５０２、６０、６０１：タッチパネル
１１、２１、３１、４５、５１：カバーレンズ
１１１、２１１、３１１、４５１、５１１：ユーザーインターフェイス表面
１２、１３、２２：薄膜層
３２：ガラス層
４１：カバーレンズ構造
４２：タッチセンサー
４６、５３、５４：装飾層
５２、６２：タッチセンシングユニット
５１２、５３１、５３２：表面
５２１：導電表面
５３５、５４５：予定パターン
５２５：導電層
５２１１：透明導電表面
５２１２：非透明導電表面
５５、５６：接着層
５１３：光学薄層
５０２１、６０１１：組み合わせ配置
５３５１：ロゴパターン
５３５２：アイコンパターン
５２５３：機能性パターン
５４５１：ブラックマトリクスパターン
５２５１：付着表面
６２１：タッチセンシングパーツ
【図１】
0003194943.tif 000003
【図２】
0003194943.tif 000004
【図３】
0003194943.tif 000005
【図４】
0003194943.tif 000006
【図５Ａ】
0003194943.tif 000007
【図５Ｂ】
0003194943.tif 000008
【図６Ａ】
0003194943.tif 000009
【図６Ｂ】
0003194943.tif 000010
【図７Ａ】
0003194943.tif 000011
【図７Ｂ】
0003194943.tif 000012
【図７Ｃ】
0003194943.tif 000013
【図８Ａ】
0003194943.tif 000014
【図８Ｂ】
0003194943.tif 000015
【図９Ａ】
0003194943.tif 000016
【図９Ｂ】
0003194943.tif 000017
【図９Ｃ】
0003194943.tif 000018